(57)【要約】  課題：本発明の目的は、無線端末と基地局間で状態不一致が生じ、かつ、新たな上り方向のトラフィックが生じない場合でも、状態不一致を解消することである。  解決手段：本発明の無線通信システムは、基地局と無線端末間で通信を行うＬＴＥ無線通信システムであって、基地局はRRC_IDLE状態で、特定の無線端末に対してページング情報を含むpaging情報を送信し、無線端末はCONNECTED_DRX状態で、自局宛てのページング情報を含むpaging信号を受信した場合に、CONNECTED_DRX状態からRRCコネクションをローカル解放してRRC_IDLE状態に遷移することを特徴とする。
2018043291.tif 000002
【特許請求の範囲】
【請求項１】
基地局と無線端末間で通信を行うＬＴＥ無線通信システムにおいて、
前記基地局はRRC_IDLE状態で、特定の無線端末に対してページング情報を含むpaging信号を送信し、
前記無線端末はCONNECTED_DRX状態で、自局宛てのページング情報を含むpaging信号を受信した場合に、CONNECTED_DRX状態からRRCコネクションをローカル解放してRRC_IDLE状態に遷移することを特徴とする無線通信システム。
【請求項２】
請求項１に記載の無線通信システムであって、
前記無線端末は、Paging応答してRRCコネクションを確立してRRC_CONNECTED状態に遷移することを特徴とする無線通信システム。
【請求項３】
ＬＴＥで無線通信を行う無線端末において、
前記無線端末は、CONNECTED_DRX状態で、自局宛てのページング情報を含むpaging信号を受信した場合に、CONNECTED_DRX状態からRRCコネクションをローカル解放してRRC_IDLE状態に遷移することを特徴とする無線端末。
【請求項４】
請求項３に記載の無線端末であって、
前記無線端末は、Paging応答してRRCコネクションを確立してRRC_CONNECTED状態に遷移することを特徴とする無線端末。
【請求項５】
ＬＴＥで基地局と無線通信を行う無線端末の状態遷移方法であって、
CONNECTED_DRX状態でpaging信号を受信し、
当該受信したpaging信号が自局宛てのページング情報を含むpaging信号であるか否かを判断し、
当該受信したpaging信号が自局宛てのページング情報を含むpaging信号である場合にはRRCコネクションをローカル解放し、RRC_IDLE状態に遷移した後、
前記基地局とRRCコネクション確立処理を行い、
RRC_CONNECTED状態に遷移することを特徴とする無線通信端末の状態遷移方法。
【発明の詳細な説明】
【技術分野】
【０００１】
本発明は、無線通信システムに関するものである。
【背景技術】
【０００２】
ＬＴＥ(Long  Term  Evolution)移動体通信システムにおいては、RRC (Radio  Resource  Control)層の状態としてRRC_IDLEとRRC_CONNECTEDの２状態が定義されている。
RRC_IDLE状態は、所謂待受け状態であり、RRCコネクションが確立されておらず、移動局は間欠的にpaging信号をモニタしている。
一方で、RRC_CONNECTED状態は、所謂通信中状態であり、RRCコネクションが確立されており非間欠的にデータ送受信をしている。
更に、RRC_CONNECTED状態での移動局の消費電力を低減する目的で、無線端末である移動局がRRCコネクションを確立した状態で間欠的動作を行うCONNECTED_DRXと呼ばれる状態が存在する。【０００３】
図１は無線通信システムを示す図である。
RRC_CONNECTED状態の移動局１１は、一定時間無通信状態が継続した場合、CONNECTED_DRX状態へと遷移し、間欠的にPDCCH(Physical  Downlink  Control  Channel)をモニタする。CONNECTED_DRX状態へ遷移するまでの無通信時間や、CONNECTED_DRX状態でのPDCCH間欠受信間隔、PDCCH受信時間などは基地局１２側から事前に指定されており、RRC_CONNECTED状態からCONNECTED_DRX状態への遷移に際しては移動局１１と基地局１２間での制御信号の送受信は行われない。【０００４】
図２にRRC状態の遷移図を示す。
一般に、CONNECTED_DRX(230)状態でも一定時間無通信状態が継続した場合、基地局１２は移動局にRRCコネクションの解放(231)を指示し、RRC_IDLE(210)状態へと遷移させる。しかしながら、一時的な無線品質の劣化などにより、基地局１２が送信したRRCコネクションの解放指示であるRRC  Connection  Releaseメッセージを移動局が正しく受信できなかった場合などでは、移動局１１はCONNECTED_DRX(230)状態を維持するが、基地局１２側はRRC_IDLE(210)状態に遷移してしまうことにより、移動局１１と基地局１２間での状態不一致が生じる場合がある。【０００５】
図３は移動局と基地局間でRRC状態の不一致が発生する一例のシーケンス図を示す。
移動局１１と基地局１２間でRRC状態の不一致が発生した後に、新たに上り方向のトラフィックが生じた場合、移動局１１は基地局１２に対して上りデータ送信のための無線リソースを要求するが、基地局１２はRRC_IDLE状態のため移動局１１の要求は受け付けられず、手順の失敗により結果的に移動局１１もRRC_IDLE状態に遷移することとなり状態不一致は解消される。一方、新たに下り方向のトラフィックが生じた場合は、基地局１２側から移動局１１に対してページング情報が送信されるが、移動局１１はRRC_CONNECTED状態であり、本paging信号に対して応答しないため、不一致状態が継続することとなる。【０００６】
図６は移動局と基地局間でRRC状態の不一致が発生した場合の従来技術の動作のシーケンスを示す。
従って、移動局１１と基地局１２間でRRC状態の不一致が発生した場合、新たに上り方向のトラフィックが生じるまでは状態不一致が解消されず、その間に生じた下り方向のトラフィックは不通となってしまう。
例えば、移動局１１が受信専用の通信モジュールであった場合などは、上り方向のトラフィックは生じないので、一度不一致状態に陥ると以降は通信不能となってしまう。【０００７】
先行技術文献としては、例えば、特許文献１に、基地局からの基準信号受信電力が低い、かつ、無線区間のスループットが低い無線通信端末を検出し、該当無線通信端末が使用するアプリケーション種別が制御対象である場合にコネクションを開放する発明が開示されている。
【先行技術文献】
【特許文献】
【０００８】
【特許文献１】特開２０１３−１４３６２５号公報
【発明の概要】
【発明が解決しようとする課題】
【０００９】
本発明の目的は、無線端末と基地局間で状態不一致が生じ、かつ、新たな上り方向のトラフィックが生じない場合でも、状態不一致を解消することである。
【課題を解決するための手段】
【００１０】
本発明の無線通信システムは、基地局と無線端末間で通信を行うＬＴＥ無線通信システムであって、基地局はRRC_IDLE状態で、特定の無線端末に対してページング情報を含むpaging信号を送信し、無線端末はCONNECTED_DRX状態で、自局宛てのページング情報を含むpaging信号を受信した場合に、CONNECTED_DRX状態からRRCコネクションをローカル解放してRRC_IDLE状態に遷移することを特徴とする。【００１１】
また、無線端末は、Paging応答してRRCコネクションを確立してRRC_CONNECTED状態に遷移することが好ましい。【００１２】
また、本発明の無線端末は、ＬＴＥで無線通信を行う無線端末であって、無線端末はCONNECTED_DRX状態で、自局宛てのページング情報を含むpaging信号を受信した場合に、CONNECTED_DRX状態からRRCコネクションをローカル解放してRRC_IDLE状態に遷移することを特徴とする。【００１３】
また、無線端末は、Paging応答してRRCコネクションを確立してRRC_CONNECTED状態に遷移することが好ましい。【００１４】
さらに、本発明の無線通信端末の状態遷移方法は、ＬＴＥで基地局と無線通信を行う無線端末の状態遷移方法であって、CONNECTED_DRX状態でpaging信号を受信し、当該受信したpaging信号が自局宛てのページング情報を含むpaging信号であるか否かを判断し、当該受信したpaging信号が自局宛てのページング情報を含むpaging信号である場合にはRRCコネクションをローカル解放し、RRC_IDLE状態に遷移した後、基地局とRRCコネクション確立処理を行い、RRC_CONNECTED状態に遷移することを特徴とする。
【発明の効果】
【００１５】
本発明によれば、無線端末と基地局間で状態不一致が生じ、かつ、新たな上り方向のトラフィックが生じない場合でも、状態不一致を解消することができる。
【図面の簡単な説明】
【００１６】
【図１】無線通信システムを示す図である。
【図２】ＲＲＣ状態遷移図である。
【図３】ＲＲＣ状態不一致が発生する一例の図である。
【図４】本発明の一実施例に係る無線通信システムの動作を説明するためのシーケンス図である。
【図５】本発明の一実施例に係る無線通信システムの移動局の動作を説明するためのフローチャートである。
【図６】従来のＲＲＣ状態不一致での移動局の動作を説明するためのシーケンス図である。
【発明を実施するための形態】
【００１７】
以下、本発明の実施形態について図面を参照して詳細に説明する。
図１は無線通信システムを示す図である。
ＬＴＥ(Long  Term  Evolution)無線通信システムは、無線端末である移動局１１と、基地局１２で構成されている。
【００１８】
図４は本発明の一実施例に係る無線通信システムの動作を説明するためのシーケンス図である。
本発明では、移動局１１はRRC_CONNECTED(405)状態でpaging信号(414)を受信した場合、そのpaging信号が自局宛てのページング情報を含んでいれば、RRCコネクションをローカル解放(415)してRRC_IDLE(404)状態に遷移し、paging信号に対する応答動作を行う。
【００１９】
具体的には、RRC_CONNECTED状態にある移動局がPagingRecord情報要素を含むpaging信号を受信した場合、PagingRecord情報要素に含まれるue-Identityに自局に割り当てられた識別情報(IMSIまたはS-TMSI)が存在するか確認する。自局を示す識別情報が存在しない場合は当該paging信号を読み捨てる。一方、自局を示す識別情報が存在する場合には、RRCコネクションをローカルに解放し、RRC_IDLE状態に遷移した後、paging信号への応答としてのRRCコネクションの確立動作を開始する。
【００２０】
ＬＴＥシステムにおけるpaging手順は以下の目的で使用されることが3GPP(3rd  Generation  Partnership  Project)で規定されている：・RRC_IDLE状態にある移動局へのページング情報の送信・RRC_IDLEまたはRRC_CONNECTED状態にある移動局へのシステム情報変更の通知・ETWS(Earthquake  and  Tsunami  Warning  System)およびCMAS(Commercial  Mobile  Alert  System)の通知   つまり、移動局はRRC_CONNECTED状態でもシステム情報変更の通知、ETWSおよびCMASの通知を検出するためにpaging信号をモニタしており、本発明の移動局動作は、RRC_CONNECTED状態でpaging信号を受信した際の動作に変更を加えるだけで実現が可能である。
【００２１】
次に、移動局がCONNECTED_DRX状態でpaging信号を受信した場合の動作について図５を用いて説明する。
図５は本発明の一実施例に係る無線通信システムの移動局の動作を説明するためのフローチャートである。
【００２２】
移動局１１は、CONNECTED_DRX状態である。
移動局１１は、paging信号を受信（Ｓ５０１）すると、Ｓ５０２の処理に進む。
移動局１１は、paging信号にPagingRecord情報要素が含まれているか否かを判定（Ｓ５０２）し、PagingRecord情報要素が含まれている場合（ＹＥＳ）にはＳ５０４の処理に進み、PagingRecord情報要素が含まれていない場合（ＮＯ）にはＳ５０３の処理に進む。
【００２３】
移動局１１は、Ｓ５０３の処理では、システム情報更新の通知またはETWS/CMASの通知を受信した場合にはＳ５０１の処理に戻る。
移動局１１は、PagingRecord情報要素に自局を示すue-identityの有無を判定（Ｓ５０４）し、自局を示すue-identityがある場合（ＹＥＳ）にはＳ５０５の処理に進み、自局を示すue-identityがない場合（ＮＯ）にはＳ５０１の処理に戻る。
【００２４】
移動局１１は、Ｓ５０５の処理では、RRCコネクションをローカル解放（RRC_IDLE状態へ遷移）して、Ｓ５０６に処理に進む。
移動局１１は、Ｓ５０６の処理では、RRCコネクションを確立して、RRC_CONNECTED状態に遷移する。
【００２５】
本発明の実施形態である無線通信システムは、無線端末と基地局間で状態不一致が生じ、かつ、新たな上り方向のトラフィックが生じない場合でも、状態不一致を解消することができる。
【００２６】
以上、本発明の一実施形態について詳細に説明したが、本発明は上述した実施形態に限定されるものではなく、本発明の趣旨を逸脱しない範囲で種々変更して実施することができる。
【００２７】
この出願は、２０１６年８月３１日に出願された日本出願特願２０１６−１６９６６１を基礎として優先権の利益を主張するものであり、その開示の全てを引用によってここに取り込む。
【産業上の利用可能性】
【００２８】
RRC接続状態でのpaging受信処理を行うことによって、RRC状態不一致を解消する用途に適用できる。
【符号の説明】
【００２９】
１１：移動局、１２：基地局。
【図１】
2018043291.tif 000003
【図２】
2018043291.tif 000004
【図３】
2018043291.tif 000005
【図４】
2018043291.tif 000006
【図５】
2018043291.tif 000007
【図６】
2018043291.tif 000008
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
基地局と無線端末間で通信を行うＬＴＥ無線通信システムにおいて、
前記基地局はRRC_IDLE状態で、特定の無線端末に対してページング情報を含むpaging信号を送信し、
前記無線端末はRRCコネクションが確立されて非間欠的にデータ送受信するRRC_CONNECTED状態から一定時間無線通信状態が断続した場合にRRCコネクションを確立した状態で間欠的動作を行うCONNECTED_DRX状態で、自局宛てのページング情報を含むpaging信号を受信した場合に、CONNECTED_DRX状態からRRCコネクションをローカル解放してRRC_IDLE状態に遷移することを特徴とする無線通信システム。
【請求項２】
請求項１に記載の無線通信システムであって、
前記無線端末は、Paging応答してRRCコネクションを確立してRRC_CONNECTED状態に遷移することを特徴とする無線通信システム。
【請求項３】
ＬＴＥで無線通信を行う無線端末において、
前記無線端末は、RRCコネクションが確立されて非間欠的にデータ送受信するRRC_CONNECTED状態から一定時間無線通信状態が断続した場合にRRCコネクションを確立した状態で間欠的動作を行うCONNECTED_DRX状態で、自局宛てのページング情報を含むpaging信号を受信した場合に、CONNECTED_DRX状態からRRCコネクションをローカル解放してRRC_IDLE状態に遷移することを特徴とする無線端末。
【請求項４】
請求項３に記載の無線端末であって、
前記無線端末は、Paging応答してRRCコネクションを確立してRRC_CONNECTED状態に遷移することを特徴とする無線端末。
【請求項５】
ＬＴＥで基地局と無線通信を行う無線端末の状態遷移方法であって、
前記基地局とRRCコネクション確立処理を行い、
RRCコネクションが確立されて非間欠的にデータ送受信するRRC_CONNECTED状態に遷移し、
RRC_CONNECTED状態で一定時間無線通信状態が断続した場合にRRCコネクションを確立した状態で間欠的動作を行うCONNECTED_DRX状態へ遷移し、
RRCコネクションを確立した状態で間欠的動作を行うCONNECTED_DRX状態でpaging信号を受信し、
当該受信したpaging信号が自局宛てのページング情報を含むpaging信号であるか否かを判断し、
当該受信したpaging信号が自局宛てのページング情報を含むpaging信号である場合にはRRCコネクションをローカル解放し、RRC_IDLE状態に遷移した後、
前記基地局とRRCコネクション確立処理を行い、
RRC_CONNECTED状態に遷移することを特徴とする無線通信端末の状態遷移方法。
【国際調査報告】
2018043291.tif 000009
2018043291.tif 000010
2018043291.tif 000011
2018043291.tif 000012